(57)【要約】【課題】芯材の吸湿による反りの発生が確実に抑制された建具を提供すること。【解決手段】長尺枠部材２１と短尺枠部材２２とを含む芯材２の表裏面に表面板３が接着されて形成される建具１であって、少なくとも前記長尺枠部材の長手方向の全周面に防湿シートが装着されている。【選択図】図１
2015028251.tif 000002
【特許請求の範囲】
【請求項１】
長尺枠部材と、短尺枠部材とを含む芯材の表裏面に表面板が固定されて形成される建具であって、少なくとも前記長尺枠部材の長手方向の全周面に防湿シートが装着されていることを特徴とする建具。
【請求項２】
前記長尺枠部材の長手方向の両端面に、防湿シートが装着されていることを特徴とする請求項１に記載の建具。
【請求項３】
前記長尺枠部材の長さが、240cm〜400cmであることを特徴とする請求項１または２に記載の建具。
【発明の詳細な説明】
【技術分野】
【０００１】
本発明は、建具に関する。
【背景技術】
【０００２】
従来より、芯材の表裏面に表面板を接着して作製される建具が知られている。例えば、特許文献１には、芯材の接着面に防湿シートを接着して設け、この防湿シートを介して表面板を接着することで、建具（ドア）の反りを抑制できることが記載されている。また、例えば、特許文献２には、芯材の表裏面に、裏面に防湿シートが貼り付けられた化粧材（表面板）を貼着することで、建具（ドア）の反りを抑制できることが記載されている。
【先行技術文献】
【特許文献】
【０００３】
【特許文献１】特開2003-27851号公報
【特許文献２】特開2005-200858号公報
【発明の概要】
【発明が解決しようとする課題】
【０００４】
しかしながら、特許文献１、２の建具においても、芯材の吸湿によって建具の反りが生じる場合があり、特に縦方向の長さが２ｍを超えるような大きな場合に、大きな反りが生じる場合があることが改善すべき点として挙げられる。
【０００５】
本発明は、以上のとおりの事情に鑑みてなされたものであり、芯材の吸湿による反りの発生が確実に抑制された建具を提供することを課題としている。
【課題を解決するための手段】
【０００６】
上記の課題を解決するために、本発明の建具は、長尺枠部材と短尺枠部材とを含む芯材の表裏面に表面板が固定されて形成される建具であって、少なくとも前記長尺枠部材の長手方向の全周面に防湿シートが装着されていることを特徴としている。
【０００７】
この建具では、前記長尺枠部材の上端面および下端面に、防湿シートが装着されていることが好ましい。
【０００８】
この建具では、前記長尺枠部材の長さが、240cm〜400cmであることがより好ましい。
【発明の効果】
【０００９】
本発明の建具によれば、芯材の吸湿による反りの発生を確実に抑制することできる。
【図面の簡単な説明】
【００１０】
【図１】本発明の建具の一実施形態を例示した分解斜視図である。
【図２】本発明の建具の芯材の長尺枠部材の一実施形態を例示した透視図である。
【発明を実施するための形態】
【００１１】
図１は、本発明の建具の一実施形態を例示した分解斜視図である。図２は、本発明の建具の芯材の長尺枠部材の一実施形態を例示した透視図である。
【００１２】
建具１は、芯材２の表裏面に表面板３が固定されて形成される。
【００１３】
芯材２は、縦方向に配置された長尺枠部材２１と横方向に配置された短尺枠部材２２とによって縦長の方形状に枠組みされており、その内側に左右の長尺枠部材２１の中央付近を連結する桟材２３が格子状に配設されている。
【００１４】
長尺枠部材２１は、角柱状であり、長手方向（縦方向）長さは160cm〜400cm程度に設計することができる。また、短尺枠部材２２および桟材２３も角柱状であり、長手方向（横方向）長さは50cm〜150cm程度に設計することができる。
【００１５】
長尺枠部材２１、短尺枠部材２２および桟２３の材料は、無垢材、集成材、LVL（Laminated Vaneer Lumber:単板積層板）、合板、木質繊維板、パーティクルボードなどのうち１種または２種以上を適宜選択することができる。
【００１６】
長尺枠部材２１は、長手方向の全周面（長尺枠部材２１の周面を構成する４面）および両端面（上端面、下端面）に防湿シート４が装着されている。防湿シート４は、装着される長尺枠部材２１の各面の全てを覆うように装着することができるが、例えば、短尺枠部材２２と接合する部分などは、装着を省略することができる。また、長尺枠部材２１の上端面と下端面についても、防湿シート４の装着を省略することができるが、上端面と下端面にも防湿シート４を装着することで、長尺枠部材２１の吸湿がより抑制され、建具１の反りの発生がより確実に抑制されるため、好ましい。
【００１７】
防湿シート４は、水分の透過を防止できるシートであれば特に限定されない。具体的には、防湿シート４は、例えば、プラスチックシートを例示することができ、より具体的には、ポリ塩化ビニルシート、ポリエチレンシートなどを例示することができる。また、防湿シート４は、複数のプラスチックシートを積層したシート、例えば、ポリ塩化ビニルシート、ポリエチレンシート、ポリプロピレンシート、フッ素樹脂シートなどを積層した多層構造のシートであってもよい。さらに、防湿シート４は、プラスチックシートの間にアルミニウム箔などの金属箔を積層して接着しているシートであってもよい。防湿シート４は、プラスチックシートの片面もしくは両面に紙間強化紙を貼着することもできる。
【００１８】
防湿シート４の厚さは、例えば、５０μｍ〜２ｍｍ、好ましくは１００μｍ〜１ｍｍの範囲で適宜設計することができる。防湿シート４の厚さがこの範囲であると、水分透過をより効果的に抑制することができる。
【００１９】
防湿シート４は、非水溶性接着剤を用いて芯材２に接着することが好ましい。防湿シート４を芯材２に接着するときに、接着剤に含まれる水分を芯材２に含浸させないためである。非水溶性接着剤としては、例えば、溶液型のアクリル共重合体、合成ゴム系の接着剤、熱可塑性合成樹脂であるホットメルト系の接着剤、エポキシ樹脂系、ウレタン系、塩化ビニル系の接着剤などを例示することができる。また、例えば、接着剤を用いずに、熱収縮性を有する防湿シート４と芯材２とを密着させることにより、防湿シート４を芯材２に装着することもできる。
【００２０】
表面板３は、縦長の方形状であり、芯材２の大きさ、形状と対応している。表面板３の材料は、例えば、合板、MDF（Medium Density Fiberboard:中密度繊維板）、ガラスなどを例示することができる。表面板３を、防湿シート４を介して芯材２の表裏面に接着することで建具１が形成される。なお、表面板３を芯材２に接着するための接着剤としては、例えば、エチレン酢酸ビニル共重合体、エポキシ樹脂系、ウレタン系の接着剤などを例示することができる。なお、接着剤を使用せず、釘や金具を用いて表面板３と芯材２とを固定することもできる。
【００２１】
従来、建具１の反りは、表裏面の環境に温湿度差がある場合に生じると考えられている。特に、木製の芯材２が吸湿し、表裏面の環境に温度差が生じると、芯材２では冷たい側に含水が移動して厚み方向に含水率の傾斜ができ、この含水率の傾斜によって芯材２に反りが生じる。
【００２２】
これに対し、本発明の建具１は、長尺枠部材２１と短尺枠部材２２とを含む芯材２の表裏面に表面板３が固定されて形成される建具１であって、長尺枠部材２１の長手方向の全周面に防湿シート４が装着されている。すなわち、長尺枠部材２１は、表面板３との接着面のみならず、長手方向の全周面に防湿シート４が接着されているため、低コストで簡便かつ確実に長尺枠部材２１の吸湿が抑制され、含水率の移動が生じ難いため、建具１の反りの発生が確実に抑制される。さらに、長尺枠部材２１の長さが240cm〜400cmと大きな場合であっても、確実に吸湿が抑制されて建具１の反りが生じ難いため、様々な用途、設置場所に対応した建具１とすることができる。
【００２３】
本発明の木質建具は、以上の形態に限定されることはない。例えば、芯材は、縦桟などを含むこともできる。
【符号の説明】
【００２４】
１    建具
２    芯材
２１  長尺枠部材
２２  短尺枠部材
２３  桟材
３    表面板
４    防湿シート
【図１】
2015028251.tif 000003
【図２】
2015028251.tif 000004